(57)【要約】      （修正有）【課題】使い勝手が良い形態と、外観品質が高い形態とに、用途に合わせて変形させることができるバッグを提供する。【解決手段】収納体上側部１１と、収納体下側部１２とを備え、収納体下側部が、その上側の接続部により、収納体上側部の内側面に上下方向に折り畳みと引き伸ばしとをしうるように接続され、収納体下側部の接続部を折り畳んで収納体下側部が収納体上側部内に入り込んだ第一の収納形態と、収納体下側部の接続部を引き伸ばして収納体下側部が収納体上側部の下部から突出した状態から収納体上側部の上側部を収納体下側部の側面側へ折り曲げた第二の収納形態と、収納体下側部の接続部を引き伸ばして収納体下側部が収納体上側部の下部から突出した第三の収納形態とに変形しうる構成とされている。【選択図】図１
0003214597.tif 000002
【実用新案登録請求の範囲】
【請求項１】
収納体上側部と、収納体下側部とを備え、
前記収納体下側部が、その上側の接続部により、前記収納体上側部の内側面に上下方向に折り畳みと引き伸ばしとをしうるように接続されており、
前記収納体下側部の前記接続部を折り畳んで前記収納体下側部が前記収納体上側部内に入り込んだ第一の収納形態と、前記収納体下側部の前記接続部を引き伸ばして前記収納体下側部が前記収納体上側部の下部から突出した状態から前記収納体上側部の上側部を前記収納体下側部の側面側へ折り曲げた第二の収納形態と、前記収納体下側部の前記接続部を引き伸ばして前記収納体下側部が前記収納体上側部の下部から突出した第三の収納形態とに変形しうることを特徴とするバッグ。
【請求項２】
前記収納体上側部の上側部に、持ち手用の孔が形成されていることを特徴とする請求項１記載のバッグ。
【請求項３】
前記収納体上側部の内側面と、前記収納体下側部の折り畳みしうる前記接続部の内側面とに、着脱可能な係止部がそれぞれ設けられており、前記第一の収納形態の形態の保持と解除とをしうる構成とされていることを特徴とする請求項１又は２に記載のバッグ。
【請求項４】
前記収納体上側部の前記係止部同士と、前記収納体下側部の前記係止部同士とは、前記第二の収納形態又は前記第三の収納形態において、着脱可能な構成とされていることを特徴とする請求項３記載のバッグ。
【請求項５】
前記収納体上側部の前記係止部の一方側は雄ホックであり、他方側は前記雄ホックが嵌りうる雌ホックであるとともに、前記収納体下側部の前記係止部の一方側は前記雄ホックが嵌りうる雌ホックであり、他方側は前記雌ホックが嵌りうる雄ホックであることを特徴とする請求項４に記載のバッグ。
【考案の詳細な説明】
【技術分野】
【０００１】
本考案は、用途に合わせて変形させることができるバッグに関するものである。
【背景技術】
【０００２】
従来から、トートバッグなどの大きなバッグの中に入れるバッグインバッグスタイルと腕で抱えるクラッチバッグスタイルとの両方のスタイルで使用することができるバッグはある。
【０００３】
一方で、用途に合わせて変形させることができるバッグは、多数提案され、実施に供されている（特許文献１等を参照）。
【０００４】
しかしながら、このような背景にあっても、上記したようなバッグは、購入するに際して、使い勝手の良さを優先するか、外観品質の高さを優先するかのいずれかを選択しなければならないのが現状であった。
【先行技術文献】
【特許文献】
【０００５】
【特許文献１】実用新案登録第３１６１０７３号公報
【考案の概要】
【考案が解決しようとする課題】
【０００６】
本考案は、以上のような従来の問題を解消するためのものであって、その課題は、使い勝手が良い形態と、外観品質が高い形態とに、用途に合わせて変形させることができるバッグを提供することにある。
【課題を解決するための手段】
【０００７】
前記課題を解決するために、請求項１記載の考案にあっては、収納体上側部と、収納体下側部とを備え、前記収納体下側部が、その上側の接続部により、前記収納体上側部の内側面に上下方向に折り畳みと引き伸ばしとをしうるように接続されており、前記収納体下側部の前記接続部を折り畳んで前記収納体下側部が前記収納体上側部内に入り込んだ第一の収納形態と、前記収納体下側部の前記接続部を引き伸ばして前記収納体下側部が前記収納体上側部の下部から突出した状態から前記収納体上側部の上側部を前記収納体下側部の側面側へ折り曲げた第二の収納形態と、前記収納体下側部の前記接続部を引き伸ばして前記収納体下側部が前記収納体上側部の下部から突出した第三の収納形態とに変形しうることを特徴とする。
従って、かぶせのない前記第一の収納形態と、前記収納体上側部の折り曲げ部がかぶせのように見える前記第二の収納形態と、前記第一の収納形態より縦長の前記第三の収納形態とに変形することができる。
【０００８】
請求項２記載の考案にあっては、前記収納体上側部の上側部に、持ち手用の孔が形成されていることを特徴とする。
従って、前記持ち手用の孔に指を入れて手で掴んで、前記収納体下側部の前記接続部の上下方向への折り畳みと引き伸ばしとを容易に行える。
【０００９】
請求項３記載の考案にあっては、前記収納体上側部の内側面と、前記収納体下側部の折り畳みしうる前記接続部の内側面とに、着脱可能な係止部がそれぞれ設けられており、前記第一の収納形態の形態の保持と解除とをしうる構成とされていることを特徴とする。
従って、前記係止部を係止させれば、前記第一の収納形態の形態を保持させることができ、前記係止部を外せば、前記第一の収納形態の形態を解除させることができる。
【００１０】
請求項４記載の考案にあっては、前記収納体上側部の前記係止部同士と、前記収納体下側部の前記係止部同士とは、前記第二の収納形態又は前記第三の収納形態において、着脱可能な構成とされていることを特徴とする。
従って、前記第二の収納形態及び前記第三の収納形態において、前記係止部をバッグの収納口部の閉鎖手段とすることができる。
【００１１】
請求項５記載の考案にあっては、前記収納体上側部の前記係止部の一方側は雄ホックであり、他方側は前記雄ホックが嵌りうる雌ホックであるとともに、前記収納体下側部の前記係止部の一方側は前記雄ホックが嵌りうる雌ホックであり、他方側は前記雌ホックが嵌りうる雄ホックであることを特徴とする。
従って、対向するホックの雌雄を上下で逆にするだけで、前記第一の収納形態の保持と解除とを容易に行えるだけではなく、前記第二の収納形態及び前記第三の収納形態において、前記収納口部の閉鎖も容易に行うことができる。
【考案の効果】
【００１２】
請求項１記載のバッグにあっては、収納体上側部と、収納体下側部とを備え、前記収納体下側部が、その上側の接続部により、前記収納体上側部の内側面に上下方向に折り畳みと引き伸ばしとをしうるように接続されており、前記収納体下側部の前記接続部を折り畳んで前記収納体下側部が前記収納体上側部内に入り込んだ第一の収納形態と、前記収納体下側部の前記接続部を引き伸ばして前記収納体下側部が前記収納体上側部の下部から突出した状態から前記収納体上側部の上側部を前記収納体下側部の側面側へ折り曲げた第二の収納形態と、前記収納体下側部の前記接続部を引き伸ばして前記収納体下側部が前記収納体上側部の下部から突出した第三の収納形態とに変形しうる構成とされている。
従って、かぶせのない前記第一の収納形態と、前記収納体上側部の折り曲げ部がかぶせのように見える前記第二の収納形態と、前記第一の収納形態より縦長の前記第三の収納形態とに変形することができる。
その結果、かぶせのない前記第一の収納形態と、前記収納体上側部の折り曲げ部がかぶせのように見える前記第二の収納形態と、前記第一の収納形態より縦長の前記第三の収納形態とに変形することができるので、トートバッグなどの大きなバッグの中に入れるバッグインバッグスタイルとして用いるときは、前記収納口部が開いた状態の内部の物品の出し入れが容易な前記第一の収納形態とし、腕で抱えるクラッチバッグスタイルとして用いるときは、かぶせがあるように見え見栄えの良い前記第二の収納形態とし、さらに、持ち帰る物品が多いときは、内部の収納容量が大きい前記第三の収納形態とすればよく、すなわち、使い勝手が良い形態と、外観品質が高い形態とに、用途に合わせて変形させることができる。
【００１３】
請求項２記載のバッグにあっては、前記収納体上側部の上側部に、持ち手用の孔が形成されている。
従って、前記持ち手用の孔に指を入れて手で掴んで、前記収納体下側部の前記接続部の上下方向への折り畳みと引き伸ばしとを容易に行える。
その結果、前記持ち手用の孔に指を入れて手で掴んで、前記収納体下側部の前記接続部の上下方向への折り畳みと引き伸ばしとを容易に行えるので、各収納形態に容易且つ迅速に変形させることができる。
【００１４】
請求項３記載のバッグにあっては、前記収納体上側部の内側面と、前記収納体下側部の折り畳みしうる前記接続部の内側面とに、着脱可能な係止部がそれぞれ設けられており、前記第一の収納形態の形態の保持と解除とをしうる構成とされている。
従って、前記係止部を係止させれば、前記第一の収納形態の形態を保持させることができ、前記係止部を外せば、前記第一の収納形態の形態を解除させることができる。
その結果、前記係止部を係止させれば、前記第一の収納形態の形態を保持させることができ、前記係止部を外せば、前記第一の収納形態の形態を解除させることができるので、前記第一の収納形態の形態の保持と解除とを容易に行うことができる。
【００１５】
請求項４記載のバッグにあっては、前記収納体上側部の前記係止部同士と、前記収納体下側部の前記係止部同士とは、前記第二の収納形態又は前記第三の収納形態において、着脱可能な構成とされている。
従って、前記第二の収納形態及び前記第三の収納形態において、前記係止部をバッグの収納口部の閉鎖手段とすることができる。
その結果、前記第二の収納形態及び前記第三の収納形態において、前記係止部をバッグの収納口部の閉鎖手段とすることができるので、内部に収納した物品がこぼれ落ちるのを防止することができる。
【００１６】
請求項５記載のバッグにあっては、前記収納体上側部の前記係止部の一方側は雄ホックであり、他方側は前記雄ホックが嵌りうる雌ホックであるとともに、前記収納体下側部の前記係止部の一方側は前記雄ホックが嵌りうる雌ホックであり、他方側は前記雌ホックが嵌りうる雄ホックである。
従って、対向するホックの雌雄を上下で逆にするだけで、前記第一の収納形態の保持と解除とを容易に行えるだけではなく、前記第二の収納形態及び前記第三の収納形態において、前記収納口部の閉鎖も容易に行うことができる。
その結果、対向するホックの雌雄を上下で逆にするだけで、前記第一の収納形態の保持と解除とを容易に行えるだけではなく、前記第二の収納形態及び前記第三の収納形態において、前記収納口部の閉鎖も容易に行うことができるので、簡易な構成で、前記第一の収納形態、前記第二の収納形態、及び前記第三の収納形態を、高機能なものとすることができる。
【図面の簡単な説明】
【００１７】
【図１】図１は、本考案に係るバッグの一実施形態において、第一の収納形態とされている状態の概略構成を示す側面図である。
【図２】図２は、図１の第一の収納形態における内部構造を示す平面図である。
【図３】図３は、本考案に係るバッグの一実施形態において、第三の収納形態とされている状態の概略構成を示す側面図である。
【図４】図４は、図３の第三の収納形態における内部構造を示す平面図である。
【図５】図５は、本考案に係るバッグの一実施形態において、第二の収納形態とされている状態の概略構成を示す側面図である。
【図６】図６は、本考案に係るバッグを、第一の収納形態とし、バッグインバッグとして使用する状態を示す説明図である。
【図７】図７は、本考案に係るバッグを、第二の収納形態とし、クラッチバッグとして使用する状態を示す説明図である。
【考案を実施するための形態】
【００１８】
以下、本考案に係るバッグを、実施形態に基づき、図面を参照して説明する。
【００１９】
先ず、実施形態の構成について説明する。
図１〜図７は、本考案の実施形態の概略構成を示している。
【００２０】
この実施形態のバッグ１０は、図１〜図７に示したように、用途に合わせて変形させることができるバッグである。
【００２１】
具体的には、このバッグ１０は、収納体上側部１１と、収納体下側部１２とを備えている。
【００２２】
そして、収納体下側部１２が、図２及び図４に示したように、その上側の接続部としての裏地材１３の縫合部１４により、収納体上側部１１の内側面に上下方向に折り畳みと引き伸ばしとをしうるように接続されている。
【００２３】
これにより、収納体下側部１２の接続部としての縫合部１４を折り畳んで収納体下側部１２が収納体上側部１１内に入り込んだ第一の収納形態（図１を参照）と、収納体下側部１２の接続部としての縫合部１４を引き伸ばして収納体下側部１２が収納体上側部１１の下部から突出した状態から収納体上側部１１の上側部１５を収納体下側部１２の側面側へ折り曲げた第二の収納形態（図５を参照）と、収納体下側部１２の接続部としての縫合部１４を引き伸ばして収納体下側部１２が収納体上側部１１の下部から突出した第三の収納形態（図３を参照）とに変形しうる構成とされている。
【００２４】
また、図１、図３及び図５に示したように、収納体上側部１１の上部の収納口部２８側には、幅方向に長い持ち手用の孔１６が形成されている。
【００２５】
さらに、図２及び図４に示したように、収納体上側部１１の内側面を形成する側の裏地材１３と、収納体下側部１２の折り畳みしうる接続部１４がある収納体下側部１２の内側面を形成する側の裏地材１３とに、着脱可能な係止部としての雌雄のホック１７，１７，１８，１８，１９，１９，２０，２０がそれぞれ設けられており、図１に示した第一の収納形態の形態の保持と解除とをしうる構成とされている。
【００２６】
また、収納体上側部１１の係止部としてのホック１７，１９同士と、収納体下側部１２の係止部としてのホック１８，２０同士とは、それぞれ雌雄の関係になっており、図５に示した第二の収納形態又は図３に示した第三の収納形態において、着脱可能な構成とされている。
【００２７】
すなわち、図２及び図４に示したように、収納体上側部１１の係止部としての一方の側面側のホック１９，１９は雄ホックであり、他方の側面側のホック１７，１７は雄ホックであるホック１９，１９が嵌りうる雌ホックであるとともに、収納体下側部１２の係止部としての一方の側面側のホック２０，２０は雄ホックであるホック１９，１９が嵌りうる雌ホックであり、他方の側面側の雌ホックであるホック１８，１８が嵌りうる雄ホックであり、対向するホックの配置が上下対称となっている。
【００２８】
なお、本実施形態のバッグ１０の内部には、図２及び図４に示したように、裏地材１３の下側に、複数の大きさの異なるポケット２１〜２７が設けられており、筆入れ、ノート、手帳、財布、及び携帯電話などの様々な物品を、収納できるようになっている。
【００２９】
また、このバッグ１０の一方の側面側には、図１などに示したように、側面収納部２９も設けられており、その収納口部３０は、スライドファスナー３１が設けられており、開閉自在となっている。
【００３０】
次に、この実施形態のバッグ１０の使用例について説明する。
【００３１】
例えば、パーティーに出かけるとき、使用者３２は、行きは、バッグ１０を、図１に示した中の物品が取り出し易い第一の収納形態とし、大きなトートバッグ３３の中に入れて、バッグインバッグスタイルとして使用する。
【００３２】
パーティー会場に着くと、使用者３２は、トートバッグ３３はロッカーやクロークに預けて、貴重品などの必要な物品のみをバッグ１０に入れておく。
【００３３】
この際、パーティー会場では、使用者３２は、図５に示した収納体上側部１１の折り曲げ部がかぶせのように見える見栄えの良い第二の収納形態とし、腕に抱えてクラッチバッグスタイルとして使用する。
【００３４】
なお、帰りに多くの持ち帰りの物品などがある場合は、バッグ１０を、図３に示した内部の収納容量が大きい第三の収納形態として使用することができる。
【００３５】
次に、この実施形態の作用効果について説明する。
【００３６】
この本考案の実施形態のバッグ１０は、図１〜図７に示したように、収納体上側部１１と、収納体下側部１２とを備え、収納体下側部１２が、その上側の接続部としての裏地材１３により、収納体上側部１１の内側面に上下方向に折り畳みと引き伸ばしとをしうるように接続されており、収納体下側部１２の接続部としての裏地材１３を折り畳んで収納体下側部１２が収納体上側部１１内に入り込んだ図１に示した第一の収納形態と、収納体下側部１２の接続部としての裏地材１３を引き伸ばして収納体下側部１２が収納体上側部１１の下部から突出した状態から収納体上側部１１の上側部を収納体下側部１２の側面側へ折り曲げた図３に示した第二の収納形態と、収納体下側部１２の接続部としての裏地材１３を引き伸ばして収納体下側部１２が収納体上側部１１の下部から突出した図５に示した第三の収納形態とに変形しうる構成とされている。
【００３７】
従って、かぶせのない第一の収納形態と、収納体上側部１１の折り曲げ部がかぶせのように見える第二の収納形態と、第一の収納形態より縦長の前記第三の収納形態とに変形することができる。
【００３８】
その結果、かぶせのない第一の収納形態と、収納体上側部１１の折り曲げ部がかぶせのように見える第二の収納形態と、第一の収納形態より縦長の第三の収納形態とに変形することができるので、トートバッグ３３などの大きなバッグの中に入れるバッグインバッグスタイルとして用いるときは、収納口部２８が開いた状態の内部の物品の出し入れが容易な第一の収納形態とし、腕で抱えるクラッチバッグスタイルとして用いるときは、かぶせがあるように見え見栄えの良い第二の収納形態とし、さらに、持ち帰る物品が多いときは、内部の収納容量が大きい第三の収納形態とすればよく、すなわち、使い勝手が良い形態と、外観品質が高い形態とに、用途に合わせて変形させることができる。
【００３９】
また、収納体上側部１１の上側部に、持ち手用の孔１６が形成されている。
【００４０】
従って、持ち手用の孔１６に指を入れて手で掴んで、収納体下側部１２の接続部としての裏地材１３の上下方向への折り畳みと引き伸ばしとを容易に行える。
【００４１】
その結果、持ち手用の孔１６に指を入れて手で掴んで、収納体下側部１２の接続部としての裏地材１３の上下方向への折り畳みと引き伸ばしとを容易に行えるので、各収納形態に容易且つ迅速に変形させることができる。
【００４２】
さらに、収納体上側部１１の内側面と、収納体下側部１２の折り畳みしうる接続部としての裏地材１３の内側面とに、着脱可能な係止部としてのフック１７，１７，１８，１８，１９，１９，２０，２０が設けられており、第一の収納形態の形態の保持と解除とをしうる構成とされている。
【００４３】
従って、係止部としてのフック１７，１７，１８，１８，１９，１９，２０，２０を係止させれば、第一の収納形態の形態を保持させることができ、係止部としてのフック１７，１７，１８，１８，１９，１９，２０，２０を外せば、第一の収納形態の形態を解除させることができる。
【００４４】
その結果、係止部としてのフック１７，１７，１８，１８，１９，１９，２０，２０を係止させれば、第一の収納形態の形態を保持させることができ、係止部としてのフック１７，１７，１８，１８，１９，１９，２０，２０を外せば、第一の収納形態の形態を解除させることができるので、第一の収納形態の形態の保持と解除とを容易に行うことができる。
【００４５】
また、収納体上側部１１の係止部としてのホック１７，１９同士と、収納体下側部１２の係止部としてのホック１８，２０同士とは、それぞれ雌雄の関係になっており、図５に示した第二の収納形態又は図３に示した第三の収納形態において、着脱可能な構成とされている。
【００４６】
従って、第二の収納形態及び第三の収納形態において、係止部としてのフック１７，１７，１８，１８，１９，１９，２０，２０をバッグ１０の収納口部２８の閉鎖手段とすることができる。
【００４７】
その結果、第二の収納形態及び第三の収納形態において、係止部としてのフック１７，１７，１８，１８，１９，１９，２０，２０をバッグ１０の収納口部２８の閉鎖手段とすることができるので、内部に収納した物品がこぼれ落ちるのを防止することができる。
【００４８】
さらに、収納体上側部１１の係止部としての一方の側面側のホック１９，１９は雄ホックであり、他方の側面側のホック１７，１７は雄ホックであるホック１９，１９が嵌りうる雌ホックであるとともに、収納体下側部１２の係止部としての一方の側面側のホック２０，２０は雄ホックであるホック１９，１９が嵌りうる雌ホックであり、他方の側面側の雌ホックであるホック１８，１８が嵌りうる雄ホックである。
【００４９】
従って、対向するホック１７，１７，１８，１８とホック１９，１９，２０，２０の雌雄を上下で逆にするだけで、第一の収納形態の保持と解除とを容易に行えるだけではなく、第二の収納形態及び第三の収納形態において、収納口部２８の閉鎖も容易に行うことができる。
【００５０】
その結果、対向するホック１７，１７，１８，１８とホック１９，１９，２０，２０の雌雄を上下で逆にするだけで、第一の収納形態の保持と解除とを容易に行えるだけではなく、第二の収納形態及び第三の収納形態において、収納口部２８の閉鎖も容易に行うことができるので、簡易な構成で、第一の収納形態、第二の収納形態、及び第三の収納形態を、高機能なものとすることができる。
【００５１】
以上、本考案に係るバッグの実施形態について図面を参照して詳述してきたが、具体的な構成は、この実施形態に限らず、本考案の要旨を逸脱しない程度の設計的変更は、本考案に含まれる。
【００５２】
例えば、上記した実施形態では、係止部をホック１７，１７，１８，１８，１９，１９，２０，２０としたが、これに限定されず、面ファスナーなどで実施してもよい。
【００５３】
また、バッグ１０の収納体上側部１１及び収納体下側部１２を形成する表地材は、高級感を出すために、本革や合成皮革などを使用して実施してもよい。
【産業上の利用可能性】
【００５４】
本考案に係るバッグは、多くの人々が購入し、使用することができるので、産業上の利用可能性を有している。
【符号の説明】
【００５５】
１０    バッグ
１１    収納体上側部
１２    収納体下側部
１３    裏地材（接続部）
１４    縫合部
１５    収納体上側部の上側部
１６    持ち手用の孔
１７    ホック（係止部）
１８    ホック（係止部）
１９    ホック（係止部）
２０    ホック（係止部）
２１    ポケット
２２    ポケット
２３    ポケット
２４    ポケット
２５    ポケット
２６    ポケット
２７    ポケット
２８    収納口部
２９    側面収納部
３０    収納口部
３１    スライドファスナー
３２    使用者
３３    トートバッグ
【図１】
0003214597.tif 000003
【図２】
0003214597.tif 000004
【図３】
0003214597.tif 000005
【図４】
0003214597.tif 000006
【図５】
0003214597.tif 000007
【図６】
0003214597.tif 000008
【図７】
0003214597.tif 000009